(57)【要約】【課題】  ピストン弁の係合面とピストンフランジに設けた弁座が、弁孔閉鎖時には、一定の弾性力をもって弾接させることによって両者の間に若干の寸法誤差があったり、ポンプヘッドの操作時等に、ピストン弁と弁座の間に位置の変動が生じても、ピストン弁の係合面とピストンガイドのフランジに設けた弁座との間のシール性を損なわれないようにしたポンプを備えた液吐出容器を提供すること。【解決手段】  ピストンガイドと、その下端に連設されたフランジと、ピストン弁とからなるピストンを具えた液吐出容器のポンプであって、フランジに設けられた弁座と、ピストン弁の係合面が弾接可能となっていることを特徴とする。【選択図】  図１
2005239273.tif 000002
【特許請求の範囲】
【請求項１】
ピストンガイドと、その下端に連設されたフランジと、ピストン弁とからなるピストンを具えた液吐出容器のポンプであって、
フランジに設けられた弁座と、ピストン弁の係合面が弾接可能となっていることを特徴とするポンプを取着した液吐出容器。
【請求項２】
フランジが、可撓性を有する薄肉部を介してピストンガイドに連設され、弁座がピストン弁の係合面に弾接されていることを特徴とする請求項１記載の液吐出容器。
【請求項３】
ピストン弁が、前記弁座に係合する係合面を具えた係合部を具え、
係合部は、その根本部に可撓性を有する薄肉部が設けられていることを特徴とする請求項１記載の液吐出容器。
【発明の詳細な説明】
【技術分野】
【０００１】
本発明は、液吐出容器、とくにポンプを装着した液吐出容器におけるポンプのピストン部材に関するものである。
【背景技術】
【０００２】
シリンダーとピストン、ポンプヘッドとからなるポンプを、容器口部に取着した液吐出容器において、ピストンが、ピストンガイドとピストンガイドの下端部に設けられた弁座を立設したフランジ、およびピストン弁とからなり、ポンプヘッドの押下げ操作に応じて、ピストン弁と弁座を開いて、内容液をポンプ室からピストンガイド内を通って、吐出ノズルから吐出するようにした吐出容器は、従来より知られている（例えば、特許文献１参照）。
上記特許文献記載のピストンは、ピストン上昇時に、ピストン弁と弁座が正確に接合してシール性を損なわないようにしている。
【特許文献１】特開平１１−１４７５５７号公報
【発明の開示】
【発明が解決しようとする課題】
【０００３】
しかしながら、ピストン弁とピストンガイド下端の弁座の成形にあたって、すべての成形品を寸法誤差なく正確に成形することは困難であり、コストが高くなるという問題があった。
【０００４】
また、ポンプヘッドの斜め操作や、弾装されたコイルばねの切り始め端部の影響等により、ピストン弁と弁座の位置関係に変動が生じ、ピストン弁と弁座とのシール性を損なうおそれがあった。
【０００５】
本発明は、上記の事情を考慮して、ピストン弁の係合面とピストンフランジに設けた弁座が、弁孔閉鎖時には、一定の弾性力をもって弾接させることによって両者の間に若干の寸法誤差があったり、ポンプヘッドの操作時等に、ピストン弁と弁座の間に位置の変動が生じても、ピストン弁の係合面とピストンガイドのフランジに設けた弁座との間のシール性を損なわれないようにしたポンプを備えた液吐出容器を提供することを目的とする。
【課題を解決するための手段】
【０００６】
本発明は、上記の課題を解決するため、液吐出容器として、ピストンガイドと、その下端に連設されたフランジと、ピストン弁とからなるピストンを具えた液吐出容器のポンプであって、フランジに設けられた弁座と、ピストン弁の係合面が弾接可能となっていることを特徴とする構成を採用する。
【０００７】
フランジの実施例として、フランジが、可撓性を有する薄肉部を介してピストンガイドに連設され、弁座がピストン弁の係合面に弾接されていることを特徴とする構成を採用する。
【０００８】
ピストン弁の実施例として、ピストン弁が、前記弁座に係合する係合面を具えた係合部を具え、係合部は、その根本部に可撓性を有する薄肉部が設けられていることを特徴とする構成を採用する。
【発明の効果】
【０００９】
ピストンガイドのフランジに設けた弁座と、ピストン弁の係合面を弁孔閉鎖時に弾力を持って弾接するようにしたから、ピストン弁と弁座の間に若干の寸法誤差があっても、また、位置関係に変動があっても、シール性が損なわれることはない。
【発明を実施するための最良の形態】
【００１０】
次に、本発明の液吐出装置について、実施例を挙げ、図面を参照して説明する。
【実施例１】
【００１１】
本発明の液吐出装置について、図面を参照して説明する。
図１において、Ａは粘性液を収納した容器、Ｂはポンプ、Ｃはポンプ取付キャップである。
【００１２】
容器Ａは、口部１と肩部２、胴部３と胴部３の下端に嵌着された底蓋４とからなり、口部１外周には、ねじ５が螺設されており、胴部３内には摺動部材６が嵌挿されている。
摺動部材６は、板体７ａと、環状の摺動スカート７ｂとを具えており、容器Ａ内を密閉するとともに、胴部３内周面に摺動可能となっている。
底蓋４は、外周縁に連設された嵌着筒８と中央部に立設された支持筒９とを具え、支持筒９の外側には空気流入口が穿設されている。
【００１３】
図１、２に示すように、ポンプＢは、シリンダーＢ１と、ピストンＢ２、ピストンＢ２に連設されたポンプヘッドＢ３とからなっている。
シリンダーＢ１は、上端にフランジ１０を設けたシリンダー筒１１と、吸込口１２を穿孔した底壁１３とからなり、底壁１３の上面には、吸込口１２を開閉する吸込弁１４を具えた保持環１４ａが嵌着されている。
【００１４】
ピストンＢ２は、ピストンガイド１５と、該ピストンガイド１５の下端に連設された可撓性を有するフランジ１６と、ピストン弁１７とから構成されている。
ピストンガイド１５は、底壁１８を有する筒体であって、その下端近くの所定の位置には、連通孔１９が穿孔されている。
【００１５】
図２、３に示すように、フランジ１６は、底壁１８の底面近くの外周から可撓性を有する薄肉部２０を介して連設され、フランジ１６上面には、環状の弁座２１が立設されており、弁座２１は、ピストンの上昇時に、ピストン弁１７の係合面に弾接するように形成されている。
フランジ１６の外周縁には、複数の流通路２２が設けられ、その下面２３は、ピストンの最下降位置で、吸込弁１４の保持環１４ａに圧接されるようになっている。
【００１６】
ピストン弁１７は、外側筒２４と内側筒２５、連結部２６とからなり、外側筒２４は、シリンダー筒１１内周面に圧接摺動するようになっており、連結部２６下方の内側筒２５の外周面は係合面２７として、フランジ１６の弁座２１と圧接、離間可能となっており、両者の間で弁孔が形成され、接合時には弁孔を閉じ、離間時には弁孔を開くようになっている。
弁孔閉鎖時には、フランジ１６の弁座２１は、係合面２７に弾接するように上方に付勢された状態となっている。
【００１７】
図１、２に示すように、ピストンガイド１５の底壁１８とフランジ１６、シリンダー筒１１と、その底壁１３によってポンプ室Ｐが形成されている。
【００１８】
ポンプヘッドＢ３は、頂壁３０と、下端に膨出部を突設した外周壁３１，頂壁３０下面の中央部に垂設されたステム３２と、外周壁３１から突設され、ステム３２内部に連通する吐出ノズル３３とからなっている。
ステム３２は、リブ３４によって位置決めされ、上下二つの膨出部３５を介してピストンガイド１５と嵌着されている。
ステム３２の下端内周は、さらに拡径されて作動筒３６が形成され、ピストン弁１７の内側筒２５の外周に当接するとともに連結部２６と接離可能となっている。
【００１９】
ポンプ取付キャップＣは、外周筒４０と上壁４１、上壁４１の外周縁に立設された案内筒４２，および上壁４１の内周に連設されたステム案内筒４３とから構成されている。
外周壁４０の内周には、容器口部１外周のねじ５に螺合するねじ４４が螺設されており、ポンプ取付時には、上壁４１によってシリンダーＢ１のフランジ１０を、容器Ａの口部１天面にパッキン４５を介して取着するようになっている。。
【００２０】
ステム案内筒４３は、その内周がステム３２の上下動を案内するとともに、その下部外周がシリンダー筒１１の内周面に接合されており、下端は、ピストン弁１７の上昇規制部４６となっている。
上壁４１と、ポンプヘッドＢ３の頂壁３０から垂設されたばね受けリブとの間には、ばね４７が弾装されている。
【００２１】
次に、本液吐出容器の作用効果について説明する。
容器Ａには、内容物として粘性液が収納されており、ポンプヘッドＢ３をばね４７の弾撥力に抗して押下げると、図４に示すように、ピストン弁１７と弁座２１の間に形成される弁孔が開かれ、ポンプ室Ｐ内の内容物は流通路２２、弁孔、連通孔１９を通じてピストンガイド１５内に入り、ステム３２内を通って吐出ノズル３３から吐出される。
【００２２】
ポンプヘッドＢ３から手を離すと、図５に示すように、ばね４７の弾撥力によって、ポンプヘッドＢ３が上昇し、ピストンＢ２が上昇を開始することによってフランジ１６の弁座２１とピストン弁１７の係合面２７が接合して弁孔が閉鎖され、ピストンＢ２の上昇とともに、ポンプ室Ｐ内が負圧となって吸込弁１４が開かれ、容器Ａ内の内容物がポンプ室Ｐ内に吸込まれる。
次に、ポンプヘッドＢ３を再び押下げると、吐出ノズル３３から内容物が吐出される。
【００２３】
ピストンＢ２の上昇時には、ピストン弁１７の係合面２７と、フランジ１６の弁座２１との間に形成される弁孔が閉じられるが、弁孔閉鎖時には、ピストン弁１７の係合面２７と弁座２１は常時弾接されており、両者の間に若干の寸法誤差、位置関係の変動があっても係合面２７と弁座２１のシール性は損なわれない。
【００２４】
また、ポンプヘッドの斜め操作等により、ピストン弁１７に対してフランジ１６が傾いたときには、薄肉部２０によって可撓性が付与されていることから、弁座２１全周が係合面２７に接合するので、両者のシール性が損なわれることはない。
【実施例２】
【００２５】
次に、ピストン弁とフランジの構成に関する第２実施例について説明する。
本実施例では、ピストン弁を変形可能としたもので、ピストン弁とフランジ以外は前実施例と同一であるので、同一の符号を付して簡単に説明し、以下相違点を中心に説明する。
【００２６】
図６、７において、Ｂはポンプで、シリンダーＢ１とピストンＢ２ａとポンプヘッドＢ３とからなっている。
ピストンＢ２ａは、ピストンガイド１５ａとピストンガイド１５ａの下端に連設されたフランジ１６ａとピストン弁１７ａとからなっている。
【００２７】
フランジ１６ａは、ピストンガイド１５ａの底壁１８ａの底面近くの外周から突設され、フランジ１６ａの上面には、環状の弁座２１ａが立設され、外周縁には、複数の流通路２２ａが設けられている。
【００２８】
ピストン弁１７ａは、外側筒２４ａと内側筒２５ａと連結部２６ａとからなっており、内側筒２５ａの下側は、弁座２１ａとの係合部６０となっている。
実施例では、図に示すように、外側筒２４ａと連結部２６ａの下半部の部分、および内側筒２５ａと連結部２６ａの上半部と、上方への屈曲部の部分とは別体となっているが、全体を一体に成形したものであってもよい。  
【００２９】
係合部６０の外周面６１は、弁座２１ａとの係合面６２となっており、その根本部には、凹部６３が設けられている。
係合部６０の内側面６４の根本部には、凹部６５が設けられ、凹部６３と凹部６５によって係合部６０の根本部には、可撓性を有する薄肉部６６が形成されている。
【００３０】
係合部６０は、弁座２１ａとの係合面６２が弁座２１ａより外側になるように位置づけられ、ピストン上昇時の弁孔閉鎖時には、弁座２１ａに対して一定の弾撥力をもって弾接するようになっている。
【００３１】
次に、第２実施例の作用効果について説明すると、ピストンの上昇時に、ピストン弁１７ａの係合部６０の係合面６２は、弁座２１ａに対して一定の弾撥力をもって弾接しているので、ピストン弁１７ａと、フランジ１６ａとの間に若干の寸法誤差や、両者の位置関係に変動があっても、シール性は損なわれない。
【００３２】
また、ポンプヘッドの斜め操作等によってピストンガイド１５に傾きが生じても、係合部６０が可撓性を有することによって係合面６２がフランジ１６ａの弁座２１ａに追従するので、前第１実施例と同様の作用効果が得られる。
【産業上の利用可能性】
【００３３】
ピストンガイド下端に設けたフランジの弁座と、ピストン弁の係合面を弾接するようにしたから、両者の間の若干の寸法誤差や位置関係の変動によって、ピストン弁の係合面と弁座とのシール性が損なわれなくなった。
ポンプヘッドの押下げ操作によって、容器から内容液を吸込み、吐出するポンプばかりではなく、ポンプ式の噴霧容器にも適用できる。
また、内容液も粘性液以外のものでも使用できる。
【図面の簡単な説明】
【００３４】
【図１】本発明第１実施例の液吐出容器の断面立面図である。
【図２】ポンプの断面立面図である。
【図３】ピストン弁とフランジとの拡大説明図である。
【図４】ポンプ作動時の説明図である。
【図５】フランジの作動説明図である。
【図６】第２実施例のポンプの断面図である。
【図７】ピストン弁とフランジとの拡大説明図である。
【符号の説明】
【００３５】
Ａ            容器
Ｂ            ポンプ
Ｂ１          シリンダー
Ｂ２、Ｂ２ａ  ピストン      
Ｂ３          ポンプヘッド
Ｃ            取付キャップ
Ｐ            ポンプ室
１            口部
２            肩部
３            胴部
４            底壁
１０          フランジ
１１          シリンダー筒
１２          吸込口
１３          底壁
１４          吸込弁
１５、１５ａ  ピストンガイド
１６、１６ａ  フランジ
１７、１７ａ  ピストン弁
１８、１８ａ  底壁
１９          連通孔
２０、６６    薄肉部
２１、２１ａ  弁座
２２、２２ａ  流通路
２３          下面
２４、２４ａ  外側筒
２５、２５ａ  内側筒
２６、２６ａ  連結部
２７、６２    係合面
３０          頂壁
３１          外周壁
３２          ステム
３３          吐出ノズル
４０          外周壁
４１          上壁
４２          案内筒
４３          ステム案内筒
４７          ばね
６０          係合部
６１          外周面
６３，６５    凹部
６４          内側面
【図１】
2005239273.tif 000003
【図２】
2005239273.tif 000004
【図３】
2005239273.tif 000005
【図４】
2005239273.tif 000006
【図５】
2005239273.tif 000007
【図６】
2005239273.tif 000008
【図７】
2005239273.tif 000009